(57)【要約】【課題】本発明は、ユーザの利便性を向上させることが可能な表示制御装置、表示制御方法、および表示制御システムを提供することを目的とする。【解決手段】本発明による表示制御装置１は、現在時刻に関する情報である現在時刻情報を取得する現在時刻情報取得部３と、現在地から目的地までの経路の情報である経路情報を取得する経路情報取得部２１と、地図上の施設に関する情報を示すアイコンを記憶する地図情報記憶部４と、現在時刻情報取得部３にて取得された現在時刻情報と、経路情報取得部２１にて取得された経路情報とに基づいて、目的地への到着時刻に利用可能な目的地周辺に存在する施設のアイコン、および経路の通過時刻に利用可能な経路周辺に存在する施設のアイコンを地図情報記憶部４から検索するアイコン検索部２２と、アイコン検索部２２にて検索されたアイコンを地図上に表示するように制御する表示制御部２３とを備える。【選択図】図１
2015152560.tif 000002
【特許請求の範囲】
【請求項１】
現在時刻に関する情報である現在時刻情報を取得する現在時刻情報取得部と、
現在地から目的地までの経路の情報である経路情報を取得する経路情報取得部と、
地図上の施設に関する情報を示すアイコンを記憶する地図情報記憶部と、
前記現在時刻情報取得部にて取得された前記現在時刻情報と、前記経路情報取得部にて取得された前記経路情報とに基づいて、前記目的地への到着時刻に利用可能な前記目的地周辺に存在する前記施設の前記アイコン、および前記経路の通過時刻に利用可能な前記経路周辺に存在する前記施設の前記アイコンを前記地図情報記憶部から検索するアイコン検索部と、
前記アイコン検索部にて検索された前記アイコンを前記地図上に表示するように制御する表示制御部と、
を備える、表示制御装置。
【請求項２】
前記アイコン検索部は、前記地図の表示縮尺に応じて前記アイコンの種類を変更することを特徴とする、請求項１に記載の表示制御装置。
【請求項３】
文字列を入力することが可能な入力部をさらに備え、
前記アイコン検索部は、前記入力部にて入力された前記文字列に基づいて、前記アイコンを検索することを特徴とする、請求項１または２に記載の表示制御装置。
【請求項４】
前記経路情報取得部が前記経路情報を取得する際に、前記目的地または経由地として設定された前記施設に関する情報を蓄積する施設情報蓄積部をさらに備え、
前記アイコン検索部は、前記施設情報蓄積部にて蓄積された前記施設に関する情報に基づいて、前記アイコンを検索することを特徴とする、請求項１または２に記載の表示制御装置。
【請求項５】
前記アイコン検索部は、前記施設情報蓄積部にて蓄積された前記施設に関連する関連施設の前記アイコンを検索することを特徴とする、請求項４に記載の表示制御装置。
【請求項６】
前記アイコン検索部は、前記経路情報取得部にて取得された前記経路情報に基づいて、前記経路の走行車線側に沿って位置する前記施設の前記アイコンを検索することを特徴とする、請求項１または２に記載の表示制御装置。
【請求項７】
（ａ）現在時刻に関する情報である現在時刻情報を取得する工程と、
（ｂ）現在地から目的地までの経路の情報である経路情報を取得する工程と、
（ｃ）地図上の施設に関する情報を示す少なくとも１つ以上のアイコンを記憶する工程と、
（ｄ）前記工程（ａ）にて取得された前記現在時刻情報と、前記工程（ｂ）にて取得された前記経路情報とに基づいて、前記目的地への到着時刻に利用可能な前記目的地周辺に存在する前記施設の前記アイコン、および前記経路の通過時刻に利用可能な前記経路周辺に存在する前記施設の前記アイコンを、前記工程（ｃ）にて記憶された前記アイコンから検索する工程と、
（ｅ）前記工程（ｄ）にて検索された前記アイコンを前記地図上に表示するように制御する工程と、
を備える、表示制御方法。
【請求項８】
表示装置と、当該表示装置に地図を表示するように制御する表示制御装置とを備える表示制御システムであって、
前記表示制御装置は、
現在時刻に関する情報である現在時刻情報を取得する現在時刻情報取得部と、
現在地から目的地までの経路の情報である経路情報を取得する経路情報取得部と、
地図上の施設に関する情報を示すアイコンを記憶する地図情報記憶部と、
前記現在時刻情報取得部にて取得された前記現在時刻情報と、前記経路情報取得部にて取得された前記経路情報とに基づいて、前記目的地への到着時刻に利用可能な前記目的地周辺に存在する前記施設の前記アイコン、および前記経路の通過時刻に利用可能な前記経路周辺に存在する前記施設の前記アイコンを前記地図情報記憶部から検索するアイコン検索部と、
前記アイコン検索部にて検索された前記アイコンを前記地図上に表示するように制御する表示制御部と、
を備える、表示制御システム。
【発明の詳細な説明】
【技術分野】
【０００１】
本発明は、地図上に表示されるアイコンの表示制御を行う表示制御装置、表示制御方法、および表示制御システムに関する。
【背景技術】
【０００２】
一般的に、地図を表示する際には地図上に施設等を示すアイコンを表示させることが多い。このようにすることによって、ユーザは、アイコンを一目するだけで施設の種別等を把握することができる。
【０００３】
しかし、都市部など施設が密集している地域の地図を表示する場合において、地図上でアイコン同士が重なってしまいユーザが施設の種別等を把握できないことがある。また、地図上に種々のアイコンを表示させると、ユーザが所望する施設等を探すのに時間を要し手間がかかることがある。従って、ユーザが地図上の施設の種別等を容易に把握できるようにアイコンを表示することが要求される。
【０００４】
従来、希望する到着時刻および施設の種別についての条件を指定可能とし、自車位置および道路事情の少なくとも一方に応じて変化する指定された到着時刻および施設の種別についての条件を満足する施設のアイコンを地図上に表示可能とするナビゲーション装置が開示されている（例えば、特許文献１参照）。
【０００５】
特許文献１によれば、時刻の推移にともなって変化するユーザの要求に適合する施設のアイコンを地図上に適切に表示させることができ、かつ不要な施設のアイコンを減らして画面を見やすくすることによってユーザの負担を軽減することができる。
【先行技術文献】
【特許文献】
【０００６】
【特許文献１】特開２００６−１８４０９６号公報
【発明の概要】
【発明が解決しようとする課題】
【０００７】
特許文献１では、ユーザが目的地を設定した場合に、目的地周辺に存在する施設について、ユーザが所望する施設のアイコンを時刻や道路状況を考慮して表示することができない。また、現在地から目的地までの経路周辺に存在する施設についても、ユーザが所望する施設のアイコンを時刻や道路状況を考慮して表示することができない。
【０００８】
このように、従来では、必ずしもユーザが所望するアイコンを表示しているとはいえず、ユーザにとって利便性の良いものではなかった。
【０００９】
本発明は、このような問題を解決するためになされたものであり、ユーザの利便性を向上させることが可能な表示制御装置、表示制御方法、および表示制御システムを提供することを目的とする。
【課題を解決するための手段】
【００１０】
上記の課題を解決するために、本発明による表示制御装置は、現在時刻に関する情報である現在時刻情報を取得する現在時刻情報取得部と、現在地から目的地までの経路の情報である経路情報を取得する経路情報取得部と、地図上の施設に関する情報を示すアイコンを記憶する地図情報記憶部と、現在時刻情報取得部にて取得された現在時刻情報と、経路情報取得部にて取得された経路情報とに基づいて、目的地への到着時刻に利用可能な目的地周辺に存在する施設のアイコン、および経路の通過時刻に利用可能な経路周辺に存在する施設のアイコンを地図情報記憶部から検索するアイコン検索部と、アイコン検索部にて検索されたアイコンを地図上に表示するように制御する表示制御部とを備える。
【００１１】
また、本発明による表示制御方法は、（ａ）現在時刻に関する情報である現在時刻情報を取得する工程と、（ｂ）現在地から目的地までの経路の情報である経路情報を取得する工程と、（ｃ）地図上の施設に関する情報を示す少なくとも１つ以上のアイコンを記憶する工程と、（ｄ）工程（ａ）にて取得された現在時刻情報と、工程（ｂ）にて取得された経路情報とに基づいて、目的地への到着時刻に利用可能な目的地周辺に存在する施設のアイコン、および経路の通過時刻に利用可能な経路周辺に存在する施設のアイコンを、工程（ｃ）にて記憶されたアイコンから検索する工程と、（ｅ）工程（ｄ）にて検索されたアイコンを地図上に表示するように制御する工程とを備える。
【００１２】
また、本発明による表示制御システムは、表示装置と、当該表示装置に地図を表示するように制御する表示制御装置とを備える表示制御システムであって、表示制御装置は、現在時刻に関する情報である現在時刻情報を取得する現在時刻情報取得部と、現在地から目的地までの経路の情報である経路情報を取得する経路情報取得部と、地図上の施設に関する情報を示すアイコンを記憶する地図情報記憶部と、現在時刻情報取得部にて取得された現在時刻情報と、経路情報取得部にて取得された経路情報とに基づいて、目的地への到着時刻に利用可能な目的地周辺に存在する施設のアイコン、および経路の通過時刻に利用可能な経路周辺に存在する施設のアイコンを地図情報記憶部から検索するアイコン検索部と、アイコン検索部にて検索されたアイコンを地図上に表示するように制御する表示制御部とを備える。
【発明の効果】
【００１３】
本発明によると、表示制御装置は、現在時刻に関する情報である現在時刻情報を取得する現在時刻情報取得部と、現在地から目的地までの経路の情報である経路情報を取得する経路情報取得部と、地図上の施設に関する情報を示すアイコンを記憶する地図情報記憶部と、現在時刻情報取得部にて取得された現在時刻情報と、経路情報取得部にて取得された経路情報とに基づいて、目的地への到着時刻に利用可能な目的地周辺に存在する施設のアイコン、および経路の通過時刻に利用可能な経路周辺に存在する施設のアイコンを地図情報記憶部から検索するアイコン検索部と、アイコン検索部にて検索されたアイコンを地図上に表示するように制御する表示制御部とを備えるため、ユーザの利便性を向上させることが可能となる。
【００１４】
また、表示制御方法は、（ａ）現在時刻に関する情報である現在時刻を取得する工程と、（ｂ）現在地から目的地までの経路の情報である経路情報を取得する工程と、（ｃ）地図上の施設に関する情報を示す少なくとも１つ以上のアイコンを記憶する工程と、（ｄ）工程（ａ）にて取得された現在時刻情報と、工程（ｂ）にて取得された経路情報とに基づいて、目的地への到着時刻に利用可能な目的地周辺に存在する施設のアイコン、および経路の通過時刻に利用可能な経路周辺に存在する施設のアイコンを、工程（ｃ）にて記憶されたアイコンから検索する工程と、（ｅ）工程（ｄ）にて検索されたアイコンを地図上に表示するように制御する工程とを備えるため、ユーザの利便性を向上させることが可能となる。
【００１５】
また、表示制御システムは、表示装置と、当該表示装置に地図を表示するように制御する表示制御装置とを備える表示制御システムであって、表示制御装置は、現在時刻に関する情報である現在時刻情報を取得する現在時刻情報取得部と、現在地から目的地までの経路の情報である経路情報を取得する経路情報取得部と、地図上の施設に関する情報を示すアイコンを記憶する地図情報記憶部と、現在時刻情報取得部にて取得された現在時刻情報と、経路情報取得部にて取得された経路情報とに基づいて、目的地への到着時刻に利用可能な目的地周辺に存在する施設のアイコン、および経路の通過時刻に利用可能な経路周辺に存在する施設のアイコンを地図情報記憶部から検索するアイコン検索部と、アイコン検索部にて検索されたアイコンを地図上に表示するように制御する表示制御部とを備えるため、ユーザの利便性を向上させることが可能となる。
【図面の簡単な説明】
【００１６】
【図１】本発明の実施の形態１による表示制御装置の構成の一例を示すブロック図である。
【図２】本発明の実施の形態１による表示制御装置の構成の他の一例を示すブロック図である。
【図３】本発明の実施の形態１による表示制御装置の動作の一例を示すフローチャートである。
【図４】本発明の実施の形態２による表示制御装置の動作の一例を示すフローチャートである。
【図５】本発明の実施の形態３による表示制御装置の構成の一例を示すブロック図である。
【図６】本発明の実施の形態３による表示制御装置の動作の一例を示すフローチャートである。
【図７】本発明の実施の形態５による表示制御装置の動作の一例を示すフローチャートである。
【図８】本発明の実施の形態による表示制御システムの構成の一例を示すブロック図である。
【発明を実施するための形態】
【００１７】
本発明の実施の形態について、図面に基づいて以下に説明する。
【００１８】
＜実施の形態１＞
まず、本発明の実施の形態１による表示制御装置の構成について説明する。なお、以下では、表示制御装置はナビゲーション装置であるものとして説明する。
【００１９】
図１は、本実施の形態１による表示制御装置１の構成の一例を示すブロック図である。なお、図１では、表示制御装置１を構成する必要最小限の構成要素を示している。
【００２０】
図１に示すように、表示制御装置１は、少なくとも制御部２と、現在時刻情報取得部３と、地図情報記憶部４とを備えている。
【００２１】
現在時刻情報取得部３は、現在時刻に関する情報である現在時刻情報を取得する。具体的には、現在時刻情報取得部３は、ＧＰＳ（Global Positioning System）から現在時刻情報を取得する。なお、現在時刻情報には、年月日の情報が含まれているものとする。また、現在時刻情報取得部３は、年月日情報を含む現在時刻が取得できれば、ＧＰＳに限らず如何なるものから取得してもよい。
【００２２】
地図情報記憶部４は、地図上の施設に関する情報を示すアイコンの他に、道路情報や地形情報等、地図を表示するために必要な種々の情報を記憶している。ここで、施設に関する情報は、施設の名称、種類（例えば、「遊園地」、「飲食」、「ショッピング」等）、あるいは営業時間等の情報を含んでいる。なお、地図情報記憶部４は、図１では表示制御装置１内に備えられているが、表示制御装置１の外部に設けてもよい。
【００２３】
制御部２は、経路情報取得部２１と、アイコン検索部２２と、表示制御部２３とを備えている。
【００２４】
経路情報取得部２１は、現在地から目的地までの経路の情報である経路情報を取得する。
【００２５】
アイコン検索部２２は、経路情報取得部２１にて取得された経路情報と、現在時刻情報取得部３にて取得された現在時刻情報とに基づいて、目的地への到着時刻に利用可能な目的地周辺に存在する施設のアイコン、および経路の通過時刻に利用可能な経路周辺に存在する施設のアイコンを地図情報記憶部４から検索する。
【００２６】
表示制御部２３は、アイコン検索部２２にて検索されたアイコンを地図上に表示するように制御する。
【００２７】
次に、上記の制御部２、現在時刻情報取得部３、および地図情報記憶部４を含む表示制御装置１の他の構成について説明する。
【００２８】
なお、以下では、制御部２については、上記の機能に対して追加された機能について説明する。また、現在時刻情報取得部３および地図情報記憶部４については、上記の機能と同様であるため説明を省略する。
【００２９】
図２は、本実施の形態１による表示制御装置１の構成の他の一例を示すブロック図である。
【００３０】
本実施の形態において、少なくとも入力部７および表示部８は自車両内に備えられているものとする。すなわち、表示制御装置１は、自車両内に搭載されていてもよく、自車両外に設けられていてもよい。
【００３１】
図２に示すように、表示制御装置１は、制御部２と、現在時刻情報取得部３と、地図情報記憶部４と、現在地情報取得部５と、通信部６とを備えている。また、制御部２は、入力部７および表示部８と電気的に接続されている。
【００３２】
現在地情報取得部５は、自車両の現在地の位置情報を取得する。具体的には、現在地情報取得部５は、ＧＰＳから現在地の位置情報を取得する。
【００３３】
通信部６は、ＶＩＣＳ（Vehicle Information and Communication System）（登録商標）、あるいはインターネット通信網等を介して、外部から交通情報を取得する。ここで、交通情報としては、例えば渋滞情報、道路工事情報等が挙げられる。
【００３４】
なお、通信部６は、交通情報に限らず、地図情報記憶部４に記憶される各種情報等、種々の情報を取得してもよい。例えば、通信部６が地図情報記憶部４に記憶される各種情報等を取得可能である場合において、通信部６は当該各種情報を定期的に取得することによって、最新の情報を地図情報記憶部４に記憶させることができる。
【００３５】
入力部７は、ユーザによる入力操作を受け付ける。ここで、入力部７としては、例えばハードキー、タッチパネル、音声入力（例えばマイク）等が挙げられる。
【００３６】
表示部８は、表示制御部２３によって制御された情報（例えば、地図やアイコン等）を表示する。なお、表示部８は、表示制御装置１と一体であってもよく、別個であってもよい。
【００３７】
制御部２は、経路情報取得部２１と、アイコン検索部２２と、表示制御部２３と、アイコン表示判断部２４とを備えている。なお、アイコン検索部２２については上記の機能と同様であるため、ここでは説明を省略する。
【００３８】
経路情報取得部２１は、現在地情報取得部５にて取得した自車両の現在地から、入力部７を介してユーザが設定した目的地までの経路の情報である経路情報を取得する。なお、経路情報取得部２１は、経路情報を外部から取得してもよく、現在地から目的地までの経路を自身（経路情報取得部２１）が探索する機能を有してもよい。
【００３９】
また、経路情報取得部２１は、取得した経路情報と、現在時刻情報取得部３にて取得した現在時刻情報とに基づいて、目的地への到着時刻、および経路の通過時刻を算出する。ここで、経路の通過時刻とは、現在地から目的地までの経路における任意の点を通過する時刻のことをいう。なお、経路における任意の点は、例えば交差点など経路上に設けられた設備や施設などであってもよく、ユーザが任意に設定してもよい。
【００４０】
アイコン表示判断部２４は、表示部８に表示中の地図上に、アイコン検索部２２にて検索されたアイコンを表示させるか否かを判断する。
【００４１】
表示制御部２３は、アイコン表示判断部２４がアイコンを表示すると判断した場合において、表示部８に対してアイコンを表示するように制御する。
【００４２】
また、表示制御部２３は、表示部８に対して予め定められたテロップを表示するように制御する。テロップは、ユーザに対して通知するときに用いられ、例えば「経路探索中です」等、表示制御装置１が処理中であることをユーザに対して通知するときに用いられる。
【００４３】
次に、表示制御装置１の動作について説明する。
【００４４】
図３は、表示制御装置１の動作の一例を示すフローチャートである。
【００４５】
ステップＳ１１において、現在時刻情報取得部３は、現在時刻情報を取得する。
【００４６】
ステップＳ１２において、現在地情報取得部５は、現在地情報（現在地の位置情報）を取得する。
【００４７】
ステップＳ１３において、経路情報取得部２１は、現在地情報取得部５にて取得した現在地情報と、入力部７を介してユーザから入力された目的地とに基づいて探索された、現在地から目的地までの経路情報を取得する。
【００４８】
また、経路情報取得部２１は、取得した経路情報と、現在時刻情報取得部３にて取得した現在時刻情報とに基づいて、目的地への到着時刻、および経路の通過時刻を算出する。
【００４９】
ステップＳ１４において、アイコン検索部２２は、目的地への到着時刻に利用可能な目的地周辺に存在する施設のアイコン、および経路の通過時刻に利用可能な経路周辺に存在する施設のアイコンを地図情報記憶部４から検索する。
【００５０】
ステップＳ１５において、アイコン表示判断部２４は、表示部８に表示中の地図上に、アイコン検索部２２にて検索されたアイコンを表示させるか否かを判断する。アイコンを表示させると判断した場合は、ステップＳ１６に移行する。一方、アイコンを表示させないと判断した場合は、処理を終了する。
【００５１】
ここで、アイコン表示判断部２４がアイコンを表示するか否かを判断する方法としては、例えば、アイコン検索部２２にて検索されたアイコンが示す施設の位置情報が、表示部８に表示中の地図に含まれるか否かで判断するものとする。
【００５２】
ステップＳ１６において、表示制御部２３は、表示部８に対してアイコンを表示するように制御する。その後、処理を終了する。
【００５３】
上記の図３に示す動作を行うことによって、例えば、目的地への到着時刻に利用可能な目的地周辺、および経路の通過時刻に利用可能な経路周辺で営業中の施設のアイコンのみを表示させることができる。
【００５４】
なお、上記の図３に示す動作を行う前提として、アイコンとして表示させる施設は、ユーザによって予め設定されているものとする。例えば、ユーザは、表示部８に表示される画面を見て、アイコンとして表示させる施設の名称や種類等を、入力部７を介して選択して設定するようにしてもよい。
【００５５】
また、図３のステップＳ１３の処理を行う前に、通信部６が交通情報を取得するようにしてもよい。この場合、図３のステップＳ１３において、経路情報取得部２１は、通信部６にて取得された交通情報を考慮した経路情報を取得するとともに、目的地への到着時刻および経路の通過時刻を算出する。従って、経路情報取得部２１は、例えば、渋滞を避けた経路情報を取得したり、渋滞状況を考慮した目的地への到着時刻および経路の通過時刻を算出したりすることができる。なお、経路情報取得部２１が経路を探索する機能を有している場合は、交通情報を考慮した経路を探索すればよい。
【００５６】
以上のことから、本実施の形態１によれば、目的地への到着時刻および経路の通過時刻を考慮して、目的地周辺および経路周辺に存在するユーザが所望する施設を示すアイコンを表示させることができるため、ユーザの利便性を向上させることが可能となる。
【００５７】
なお、本実施の形態１において、アイコン検索部２２は、表示部８に表示される地図の表示縮尺に応じてアイコンの種類を変更するようにしてもよい。例えば、長距離移動時に使用されることが考えられる広域の表示縮尺で表示する場合において、アイコン検索部２２は、走行に関する施設（例えば、サービスエリア、パーキングエリア、ガソリンスタンド等）のアイコンのみを検索するようにしてもよい。その結果、表示部８では、広域の表示縮尺で表示する場合は走行に関する施設のアイコンのみが表示されるため、ユーザの利便性が向上する。この場合、ユーザが施設の名称や種類等を予め設定する必要はない。また、表示部８には、経路情報に基づく表示を行ってもよく、経路情報とは無関係の情報を表示してもよい。
【００５８】
また、ユーザが入力部７を介して所望の年月日および時刻を入力し、入力内容に基づいて施設のアイコンを表示するようにしてもよい。例えば、表示部８には、ユーザが入力した時刻において営業中の施設のみを表示することができる。この場合、ユーザが施設の名称や種類等を予め設定してもよく、予め設定しなくてもよい。また、表示部８には、経路情報に基づく表示を行ってもよく、経路情報とは無関係の情報を表示してもよい。
【００５９】
＜実施の形態２＞
本発明の実施の形態２では、アイコン検索部２２が、ユーザによって入力された文字列に基づいてアイコンを検索することを特徴としている。その他の構成および動作は、実施の形態１（図２参照）と同様であるため、ここでは図示および説明を省略する。
【００６０】
入力部７は、ユーザによる、表示部８に表示すべき施設に関する文字列（キーワード）の入力操作を受け付ける。
【００６１】
アイコン検索部２２は、入力部７を介してユーザによって入力された文字列に対応する施設のアイコンを地図情報記憶部４から検索する。
【００６２】
ここで、文字列に対応する施設のアイコンを検索する方法としては、例えば、施設に関するキーワード（例えば、「カメラ」、「スポーツ」、「映画」等）を施設に関する情報に含めて地図情報記憶部４に予め記憶させておき、アイコン検索部２２が入力された文字列と地図情報記憶部４に記憶されたキーワードとを照合することによってアイコンを検索するものとしてもよい。
【００６３】
図４は、本実施の形態２による表示制御装置１の動作の一例を示すフローチャートである。なお、図４のステップＳ２１〜ステップＳ２３は、図３のステップＳ１１〜ステップＳ１３と同様であるため、説明を省略する。
【００６４】
ステップＳ２４において、入力部７は、ユーザによって文字列が入力されたか否かを判断する。文字列が入力されたと判断した場合は、ステップＳ２５に移行する。一方、文字列が入力されていないと判断した場合は、処理を終了する。
【００６５】
ステップＳ２５において、アイコン検索部２２は、目的地への到着時刻に利用可能な目的地周辺に存在する施設、および経路の通過時刻に利用可能な経路周辺に存在する施設であって、入力部７を介して入力された文字列に対応する施設のアイコンを地図情報記憶部４から検索する。
【００６６】
ステップＳ２６において、アイコン表示判断部２４は、表示部８に表示中の地図上に、アイコン検索部２２にて検索されたアイコンを表示させるか否かを判断する。アイコン表示判断部２４がアイコンを表示させると判断した場合は、ステップＳ２７に移行する。一方、アイコン表示判断部２４がアイコンを表示させないと判断した場合は、処理を終了する。アイコン表示判断部２４がアイコンを表示するか否かを判断する方法については、図３のステップＳ１５と同様である。
【００６７】
ステップＳ２７において、表示制御部２３は、表示部８に対してアイコンを表示するように制御する。その後、処理を終了する。
【００６８】
上記の図４に示す動作を行うことによって、例えば、目的地への到着時刻に利用可能な目的地周辺、および経路の通過時刻に利用可能な経路周辺で営業中の施設のうち、ユーザが入力した施設のアイコンのみを表示部８に表示させることができる。
【００６９】
以上のことから、本実施の形態２によれば、ユーザが所望する施設のアイコンのみを表示させることができるため、ユーザの利便性を向上させることが可能となる。
【００７０】
なお、本実施の形態２では、ユーザが入力部７を介して文字列を入力する場合について説明したがこれに限るものではなく、例えばユーザによる文字列の入力に代えて、地図情報記憶部４に記憶された施設に関するキーワードを文字や図形等をイメージとして表示部８に表示させ、ユーザが所望のイメージを選択可能なようにしてもよい。
【００７１】
また、本実施の形態２では、経路情報取得部２１が経路情報を取得する場合について説明したが、経路情報取得部２１が経路情報を取得しない場合であっても適用可能である。すなわち、表示部８には、経路情報に基づく表示を行ってもよく、経路情報とは無関係の情報を表示してもよい。
【００７２】
＜実施の形態３＞
図５は、本発明の実施の形態３による表示制御装置１の構成の一例を示すブロック図である。
【００７３】
図５に示すように、本実施の形態３による表示制御装置１は、施設情報蓄積部９を備えることを特徴としている。その他の構成および動作は、実施の形態１または実施の形態２と同様であるため、ここでは説明を省略する。
【００７４】
施設情報蓄積部９は、経路情報取得部２１が経路情報を取得する際に、目的地または経由地として設定された施設に関する情報を蓄積する。なお、施設情報蓄積部９は、目的地または経由地に限らず、ユーザが何らかの目的で設定した施設に関する情報を蓄積してもよい。また、施設情報蓄積部９に蓄積される情報には、施設の名称あるいは種類等が含まれている。
【００７５】
アイコン検索部２２は、施設情報蓄積部９にて蓄積された施設に関する情報に基づいて、アイコンを検索する。
【００７６】
図６は、本実施の形態３による表示制御装置１の動作の一例を示すフローチャートである。なお、図６のステップＳ３１〜ステップＳ３３は、図３のステップＳ１１〜ステップＳ１３と同様であるため、説明を省略する。
【００７７】
ステップＳ３４において、アイコン検索部２２は、施設情報蓄積部９から施設に関する情報を取得する。
【００７８】
ステップＳ３５において、アイコン検索部２２は、目的地への到着時刻に利用可能な目的地周辺に存在する施設、および経路の通過時刻に利用可能な経路周辺に存在する施設であって、施設情報蓄積部９から取得した施設に関する情報に対応する施設のアイコンを検索する。
【００７９】
ステップＳ３６において、アイコン表示判断部２４は、表示部８に表示中の地図上に、アイコン検索部２２にて検索されたアイコンを表示させるか否かを判断する。アイコンを表示させると判断した場合は、ステップＳ３７に移行する。一方、アイコンを表示させないと判断した場合は、処理を終了する。アイコン表示判断部２４がアイコンを表示するか否かを判断する方法については、図３のステップＳ１５と同様である。
【００８０】
ステップＳ３７において、表示制御部２３は、表示部８に対してアイコンを表示するように制御する。その後、処理を終了する。
【００８１】
上記の図６に示す動作を行うことによって、例えば、目的地への到着時刻に利用可能な目的地周辺、および経路の通過時刻に利用可能な経路周辺で営業中の施設のうち、施設情報蓄積部９にて蓄積された施設のアイコンのみを表示させることができる。
【００８２】
なお、上記の図６に示す動作を行う前提として、アイコンを表示させる施設は、ユーザによって予め設定されているものとする。例えば、ユーザは、表示部８に表示される画面を見て、アイコンとして表示させる施設の名称や種類等を、入力部７を介して選択して設定するようにしてもよい。
【００８３】
以上のことから、本実施の形態３によれば、ユーザが所望する施設のアイコンのみを表示させることができるため、ユーザの利便性を向上させることが可能となる。
【００８４】
なお、アイコン検索部２２は、施設情報蓄積部９にて蓄積された施設に関連する関連施設のアイコンを検索するようにしてもよい。例えば、施設情報蓄積部９に蓄積された施設が「ゴルフ場」である場合において、アイコン検索部２２は、「ゴルフ場」の関連施設として「ゴルフ用品店」のアイコンを検索するようにしてもよく、あるいは「ゴルフ場」および「ゴルフ用品店」のアイコンを検索するようにしてもよい。その結果、表示部８では、「ゴルフ場」や「ゴルフ用品店」のアイコンのみが表示され、ユーザの利便性が向上する。
【００８５】
また、本実施の形態３では、経路情報取得部２１が経路情報を取得する場合について説明したが、経路情報取得部２１が経路情報を取得しない場合であっても適用可能である。すなわち、表示部８には、経路情報に基づく表示を行ってもよく、経路情報とは無関係の情報を表示してもよい。
【００８６】
＜実施の形態４＞
本発明の実施の形態４では、表示部８に表示中の地図上の任意のアイコンをユーザが選択すると、当該選択したアイコンが示す施設と同じ種類のアイコンのみを表示部８に表示させることを特徴としている。その他の構成および動作は、実施の形態１〜実施の形態３（図２，５参照）のいずれかと同様であるため、ここでは説明を省略する。
【００８７】
例えば、実施の形態１〜３のいずれかの動作（例えば、図３，４，６参照）を行うことによって表示部８に表示されたアイコンが複数種類存在する場合において、ユーザが入力部７を介して表示部８に表示された任意のアイコンを選択すると、アイコン検索部２２はユーザによって選択されたアイコンを地図情報記憶部４から検索する。その結果、表示部８では、ユーザによって選択されたアイコンのみが表示される。
【００８８】
以上のことから、本実施の形態４によれば、ユーザが所望する施設のアイコンのみを表示させることができるため、ユーザの利便性を向上させることが可能となる。
【００８９】
＜実施の形態５＞
本発明の実施の形態５では、アイコン検索部２２が、経路情報取得部２１にて取得された経路情報に基づいて、経路の走行車線側に沿って位置する施設のアイコンを検索することを特徴としている。その他の構成および動作は、実施の形態１〜実施の形態４（図２，５参照）のいずれかと同様であるため、ここでは説明を省略する。
【００９０】
図７は、本実施の形態５による表示制御装置１の動作の一例を示すフローチャートである。なお、図７のステップＳ４１〜ステップＳ４３は、図３のステップＳ１１〜ステップＳ１３と同様であるため、説明を省略する。
【００９１】
ステップＳ４４において、アイコン検索部２２は、経路情報取得部２１にて取得された経路情報に基づいて、経路の走行車線側に沿って位置する施設のアイコンを検索する。例えば、車両の走行が左側通行である場合において、アイコン検索部２２は経路の進行方向に向かって左側の走行車線に沿って位置する施設のアイコンを検索する。また、車両の走行が右側通行である場合において、アイコン検索部２２は経路の進行方向に向かって右側の走行車線に沿って位置する施設のアイコンを検索する。
【００９２】
ステップＳ４５において、アイコン表示判断部２４は、表示部８に表示中の地図上に、アイコン検索部２２にて検索されたアイコンを表示させるか否かを判断する。アイコン表示判断部２４がアイコンを表示させると判断した場合は、ステップＳ４６に移行する。一方、アイコン表示判断部２４がアイコンを表示させないと判断した場合は、処理を終了する。アイコン表示判断部２４がアイコンを表示するか否かを判断する方法については、図３のステップＳ１５と同様である。
【００９３】
ステップＳ４６において、表示制御部２３は、表示部８に対してアイコンを表示するように制御する。その後、処理を終了する。
【００９４】
上記の図７に示す動作を行うことによって、例えば、目的地への到着時刻に利用可能な目的地周辺、および経路の通過時刻に利用可能な経路周辺で営業中の施設のうち、経路の走行車線側に沿って位置する施設のアイコンのみを表示部８に表示させることができる。
【００９５】
以上のことから、本実施の形態５によれば、ユーザが所望する施設のアイコンのみを表示させることができるため、ユーザの利便性を向上させることが可能となる。
【００９６】
以上で説明した表示制御装置は、車載用ナビゲーション装置、すなわちカーナビゲーション装置だけでなく、車両に搭載可能なＰＮＤ（Portable Navigation Device）および携帯通信端末（例えば携帯電話、スマートフォン、およびタブレット端末など）、並びにサーバなどを適宜に組み合わせてシステムとして構築されるナビゲーション装置にも適用することができる。この場合、表示制御装置の各機能あるいは各構成要素は、上記システムを構築する各機能に分散して配置される。
【００９７】
具体的には、表示制御装置の機能を携帯通信端末、ＰＮＤ、あるいはサーバに配置することができる。例えば、図８に示すように、自車両側に表示装置１０を配置し、サーバ側に表示装置１０に地図を表示するように制御する表示制御装置１を配置することによって表示制御システムを構築することができる。サーバ側に配置される表示制御装置１は、少なくとも現在時刻情報取得部３と、地図情報記憶部４と、経路情報取得部２１と、アイコン検索部２２と、表示制御部２３とを備えている。なお、現在時刻情報取得部３、地図情報記憶部４、経路情報取得部２１、アイコン検索部２２、および表示制御部２３の各機能は、図１の現在時刻情報取得部３、地図情報記憶部４、経路情報取得部２１、アイコン検索部２２、および表示制御部２３の各機能と同様である。また、サーバは、必要に応じて図２，５に示すような各構成要素を備えるようにしてもよい。
【００９８】
上記の構成とした場合であっても、上記の実施の形態と同様の効果が得られる。
【００９９】
また、上記の実施の形態における動作を実行するソフトウェア（表示制御方法）を、例えばサーバに組み込んでもよい。
【０１００】
具体的には、上記の表示制御方法は、（ａ）現在時刻に関する情報である現在時刻情報を取得する工程と、（ｂ）現在地から目的地までの経路の情報である経路情報を取得する工程と、（ｃ）地図上の施設に関する情報を示す少なくとも１つ以上のアイコンを記憶する工程と、（ｄ）工程（ａ）にて取得された現在時刻情報と、工程（ｂ）にて取得された経路情報とに基づいて、目的地への到着時刻に利用可能な目的地周辺に存在する施設のアイコン、および経路の通過時刻に利用可能な経路周辺に存在する施設のアイコンを、工程（ｃ）にて記憶されたアイコンから検索する工程と、（ｅ）工程（ｄ）にて検索されたアイコンを地図上に表示するように制御する工程とを備える。
【０１０１】
上記より、上記の実施の形態における動作を実行するソフトウェアをサーバに組み込んで動作させることによって、上記の実施の形態と同様の効果が得られる。
【０１０２】
なお、図１，２，５，８において、現在時刻情報取得部３、現在地情報取得部５、通信部６、経路情報取得部２１、アイコン検索部２２、表示制御部２３、およびアイコン表示判断部２４の各々は、ソフトウェアに基づくＣＰＵ（Central Processing Unit）を用いたプログラム処理を実行することによって実現される。また、可能であれば、現在時刻情報取得部３、現在地情報取得部５、通信部６、経路情報取得部２１、アイコン検索部２２、表示制御部２３、およびアイコン表示判断部２４の各々を、ハードウェア（例えば、電気信号に対して特定の演算あるいは処理を行うように構成された演算／処理回路等）として構成するようにしてもよい。また、上記の両者を混在させてもよい。
【０１０３】
図１，２，５，８において、地図情報記憶部４および施設情報蓄積部９は、情報を記憶しておく機能を、例えばＨＤＤ（Hard Disk Drive）、ＤＶＤ（Digital Versatile Disk）、半導体メモリなどによって構成してもよい。
【０１０４】
図１，２，５，８において、表示部８および表示装置１０は、例えば、液晶表示装置あるいは有機ＥＬ（Electro Luminescence）表示装置等、如何なる表示部および表示装置であってもよい。
【０１０５】
なお、本発明は、その発明の範囲内において、各実施の形態を自由に組み合わせたり、各実施の形態を適宜、変形、省略することが可能である。
【符号の説明】
【０１０６】
１  表示制御装置、２  制御部、３  現在時刻情報取得部、４  地図情報記憶部、５  現在地情報取得部、６  通信部、７  入力部、８  表示部、９  施設情報蓄積部、１０  表示装置、２１  経路情報取得部、２２  アイコン検索部、２３  表示制御部、２４  アイコン表示判断部。
【図１】
2015152560.tif 000003
【図２】
2015152560.tif 000004
【図３】
2015152560.tif 000005
【図４】
2015152560.tif 000006
【図５】
2015152560.tif 000007
【図６】
2015152560.tif 000008
【図７】
2015152560.tif 000009
【図８】
2015152560.tif 000010